(57)【要約】【課題】  電子投票において投票カードを用いて投票者の受付数と実際の投票数とを集計することにより、受付数と投票数との不一致原因が投票者の投票回避にあるのか、運用ミスなのかを簡単に切り分けること。【解決手段】  受付装置１１と、投票装置２１と、集計装置４１と、これらの各装置で読み書き可能な記憶媒体である投票カード３１とを有し、投票カード３１は受付回数を格納する受付回数記憶部３２と、投票回数を格納する投票回数記憶部３３とを有し、受付装置１１は投票者の受付処理の際に受付回数記憶部３２の値を“１”増やし、投票装置２１は投票者の投票処理の際に投票回数記憶部３３の値を“１”増やし、集計装置４１は各投票カード３１について受付回数と投票回数を集計し、受付回数と投票回数との差分から投票を回避した未投票数を得ること特徴とする。【選択図】      図１
2005182488.tif 000002
【特許請求の範囲】
【請求項１】
投票の受付処理をする受付装置と、投票者の投票行為の処理を含む投票処理を行う投票装置と、これらの各装置で読み書き可能な１以上の不揮発性の記憶媒体とを有する電子投票システムであって、
前記記憶媒体は、受付回数を格納する受付回数記憶部Ａと、投票回数を格納する投票回数記憶部Ａとを有し、
前記受付装置は投票者の受付処理の際に前記磁気媒体の受付回数記憶部Ａの値を“１”増やし、
前記投票装置は投票者の投票処理の際に前記磁気媒体の投票回数記憶部Ａの値を“１”増やし、
受付回数と投票回数の差分から投票回避した数を得ること特徴とする電子投票システム。
【請求項２】
投票の受付処理をする受付装置と、投票者の投票行為の処理を含む投票処理を行う投票装置と、集計を行う集計装置と、これらの各装置で読み書き可能な１以上の不揮発性の記憶媒体とを有する電子投票システムであって、
前記記憶媒体は受付回数を格納する受付回数記憶部Ａと投票回数を格納する投票回数記憶部Ａとを有し、
前記受付装置は投票者の受付処理の際に前記磁気媒体の受付回数記憶部Ａの値を“１”増やし、
前記投票装置は投票者の投票処理の際に前記磁気媒体の投票回数記憶部Ａの値を“１”増やし、
前記集計装置は、受付回数を格納する受付回数記憶部Ｂと投票回数を格納する投票回数記憶部Ｂとを有し、前記磁気媒体毎の集計の際に受付回数記憶部Ａの値を前記受付回数記憶部Ｂの値に加算し、投票回数記憶部Ａの値を前記投票回数記憶部Ｂの値に加算し、これらの差分を投票者が投票回避した未投票回数として計算することを特徴とする電子投票システム。
【請求項３】
投票の受付処理をする受付装置と、投票者の投票行為の処理を含む投票処理を行う投票装置と、集計を行う集計装置と、これらの各装置で読み書き可能な１以上の不揮発性の記憶媒体とを有する電子投票システムであって、
前記記憶媒体は、受付回数を格納する受付回数記憶部Ａと、投票回数を格納する投票回数記憶部Ａと、前記投票装置で投票を実行したことを示す投票フラグと、前記集計装置で集計をしたことを示す集計フラグとを有し、
前記受付装置は、投票者の受付処理の際に前記磁気媒体の受付回数記憶部Ａの値を“１”増やし、前記磁気媒体の投票フラグと集計フラグとをともにオフ状態とし、
前記投票装置は、投票者の投票処理の際に前記磁気媒体の投票フラグがオフ状態であることを確認した後に投票行為を許可し、前記磁気媒体の投票回数記憶部Ａの値を“１”増やすとともに前記磁気媒体の投票フラグをオン状態とし、
前記集計装置は、受付回数を格納する受付回数記憶部Ｂと投票回数を格納する投票回数記憶部Ｂとを有し、集計の際に前記磁気媒体の集計フラグがオフ状態である場合に、前記磁気媒体の受付回数記憶部Ａの値を前記受付回数記憶部Ｂの値に加算するとともに前記磁気媒体の投票回数記憶部Ａの値を前記投票回数記憶部Ｂの値に加算し、加算後に集計フラグをオン状態とし加算後の前記受付回数記憶部Ｂの値と加算後の前記投票回数記憶部Ｂの値との差分を投票行為を回避した未投票回数として計算することを特徴とする電子投票システム。
【請求項４】
前記投票装置は、表示手段を有し、投票処理の際に投票フラグを確認して投票フラグがオフ状態でない場合、投票行為を無効とするとともにその旨を示すエラーメッセージを表示し、
前記集計装置は、表示手段を有し、集計フラグの確認の際に集計フラグがオフ状態でない場合その旨を示すエラーメッセージを表示することを特徴とする請求項３の電子投票システム。
【請求項５】
前記集計装置は表示手段を有し、前記加算後の前記受付回数記憶部Ｂの値と前記加算後の前記投票回数記憶部Ｂの値と、前記未投票回数とを各投票カードの集計毎に表示することを特徴とする請求項３又は４の電子投票システム。
【請求項６】
投票の受付処理をする受付装置と、投票者の投票行為の処理を含む投票処理を行う投票装置と、集計を行う集計装置と、これらの各装置で読み書き可能な１以上の不揮発性の記憶媒体とを有する電子投票システムであって、
前記記憶媒体は、受付をしたことを示す受付フラグと投票をしたことを示す投票フラグとを有し、
前記受付装置は、投票者の受付処理の際に前記磁気媒体の受付フラグをオン状態とし、
前記投票装置は、投票者の投票処理の際に前記磁気媒体の投票フラグをオン状態とし、
前記出口装置は、受付回数を格納する受付回数記憶部と投票回数を格納する投票回数記憶部とを有し、投票者の投票毎の集計の際に前記磁気媒体の受付フラグがオン状態であることを確認した後に、前記受付回数記憶部の値を“１”増やし、前記磁気媒体の受付フラグと投票フラグがともにオン状態の場合に前記投票回数記憶部の値に“１”増やし、前記受付回数記憶部の値と前記投票回数記憶部の値との差分を投票行為を回避した未投票回数として計算することを特徴とする電子投票システム。
【請求項７】
投票の受付処理をする受付装置と、投票者の投票行為の処理を含む投票処理を行う投票装置と、集計を行う出口装置と、これらの各装置で読み書き可能な１以上の不揮発性の記憶媒体とを有する電子投票システムであって、
前記記憶媒体は、受付をしたことを示す受付フラグと投票をしたことを示す投票フラグとを有し、
前記受付装置は、投票者の受付処理の際に前記磁気媒体の受付フラグをオン状態とし、
前記投票装置は、投票者の投票処理の際に前記磁気媒体の受付フラグがオン状態且つ前記磁気媒体の投票フラグがオフ状態であることを確認した後に投票行為を許可し、前記磁気媒体の投票フラグをオン状態とし、
前記出口装置は、受付回数を格納する受付回数記憶部と投票回数を格納する投票回数記憶部とを有し、投票者の投票毎の集計の際に前記磁気媒体の受付フラグがオン状態であることを確認した後に前記受付回数記憶部の値を“１”増やし、前記磁気媒体の受付フラグと投票フラグがともにオン状態の場合に前記投票回数記憶部の値に“１”増やし、その後前記磁気媒体の受付フラグと投票フラグとをともにオフ状態とし、前記受付回数記憶部の値と前記投票回数記憶部の値との差分を投票行為を回避した未投票回数として計算することを特徴とする電子投票システム。
【請求項８】
前記投票装置は、表示手段を有し、投票処理の際の受付フラグと投票フラグの確認において、投票フラグがオフ状態又は投票フラグがオン状態の場合、投票行為を無効とするとともにその旨を示すエラーメッセージを表示し、
前記出口装置は、表示手段を有し、受付フラグの確認の際に受付フラグがオフ状態の場合その旨を示すエラーメッセージを表示することを特徴とする請求項７の電子投票システム。
【請求項９】
前記出口装置は表示手段を有し、前記受付回数記憶部の値と前記投票回数記憶部の値と、前記未投票回数とを投票毎の投票カードの集計毎に表示することを特徴とする請求項７又は８の電子投票システム。
【請求項１０】
前記磁気媒体はカード型形状の磁気カード、情報の記憶機能に加えて情報の処理機能を有するカード型形状のＩＣカード、又は電磁波による電力供給を受けて読み書きの動作をする非接触型の記憶媒体であることを特徴とする請求項１乃至９のいずれかの電子投票システム。
【請求項１１】
電子投票で投票者が投票の際に使用する記憶媒体であって、受付回数を格納する受付回数記憶部と、投票回数を格納する投票回数記憶部とを有し、前記受付回数記憶部は投票者の受付を行う受付装置にて“１”加算されて受付回数を蓄積し、前記投票回数記憶部は投票者の投票を行う投票装置にて“１”加算されて投票回数を蓄積することを特徴とする投票用記憶媒体。
【請求項１２】
投票の受付処理をする受付装置と、投票者の投票行為の処理を含む投票処理を行う投票装置と、これらの各装置で読み書き可能な１以上の不揮発性の記憶媒体とを有し受付回数と投票回数とを集計する電子投票方法であって、
前記記憶媒体は、受付回数を格納する受付回数記憶部Ａと、投票回数を格納する投票回数記憶部Ａとを有し、
前記受付装置は投票者の受付処理の際に前記磁気媒体の受付回数記憶部Ａの値を“１”増やし、
前記投票装置は投票者の投票処理の際に前記磁気媒体の投票回数記憶部Ａの値を“１”増やし、
受付回数と投票回数の差分から投票回避した数を得ること特徴とする電子投票方法。
【請求項１３】
投票の受付処理をする受付装置と、投票者の投票行為の処理を含む投票処理を行う投票装置と、集計を行う集計装置と、これらの各装置で読み書き可能な１以上の不揮発性の記憶媒体とを有し受付回数と投票回数とを集計する電子投票方法であって、
前記記憶媒体は受付回数を格納する受付回数記憶部Ａと投票回数を格納する投票回数記憶部Ａとを有し、
前記受付装置は投票者の受付処理の際に前記磁気媒体の受付回数記憶部Ａの値を“１”増やし、
前記投票装置は投票者の投票処理の際に前記磁気媒体の投票回数記憶部Ａの値を“１”増やし、
前記集計装置は、受付回数を格納する受付回数記憶部Ｂと投票回数を格納する投票回数記憶部Ｂとを有し、前記磁気媒体毎の集計の際に受付回数記憶部Ａの値を前記受付回数記憶部Ｂの値に加算し、投票回数記憶部Ａの値を前記投票回数記憶部Ｂの値に加算し、これらの差分を投票者が投票回避した未投票回数として計算することを特徴とする電子投票方法。
【請求項１４】
投票の受付処理をする受付装置と、投票者の投票行為の処理を含む投票処理を行う投票装置と、集計を行う集計装置と、これらの各装置で読み書き可能な１以上の不揮発性の記憶媒体とを有し受付回数と投票回数とを集計する電子投票方法であって、
前記記憶媒体は、受付回数を格納する受付回数記憶部Ａと、投票回数を格納する投票回数記憶部Ａと、前記投票装置で投票を実行したことを示す投票フラグと、前記集計装置で集計をしたことを示す集計フラグとを有し、
前記受付装置は、投票者の受付処理の際に前記磁気媒体の受付回数記憶部Ａの値を“１”増やし、前記磁気媒体の投票フラグと集計フラグとをともにオフ状態とし、
前記投票装置は、投票者の投票処理の際に前記磁気媒体の投票フラグがオフ状態であることを確認した後に投票行為を許可し、前記磁気媒体の投票回数記憶部Ａの値を“１”増やすとともに前記磁気媒体の投票フラグをオン状態とし、
前記集計装置は、受付回数を格納する受付回数記憶部Ｂと投票回数を格納する投票回数記憶部Ｂとを有し、集計の際に前記磁気媒体の集計フラグがオフ状態である場合に、前記磁気媒体の受付回数記憶部Ａの値を前記受付回数記憶部Ｂの値に加算するとともに前記磁気媒体の投票回数記憶部Ａの値を前記投票回数記憶部Ｂの値に加算し、加算後に集計フラグをオン状態とし加算後の前記受付回数記憶部Ｂの値と加算後の前記投票回数記憶部Ｂの値との差分を投票行為を回避した未投票回数として計算することを特徴とする電子投票方法。
【請求項１５】
投票の受付処理をする受付装置と、投票者の投票行為の処理を含む投票処理を行う投票装置と、集計を行う集計装置と、これらの各装置で読み書き可能な１以上の不揮発性の記憶媒体とを有し受付回数と投票回数とを集計する電子投票方法であって、
前記記憶媒体は、受付をしたことを示す受付フラグと投票をしたことを示す投票フラグとを有し、
前記受付装置は、投票者の受付処理の際に前記磁気媒体の受付フラグをオン状態とし、
前記投票装置は、投票者の投票処理の際に前記磁気媒体の投票フラグをオン状態とし、
前記出口装置は、受付回数を格納する受付回数記憶部と投票回数を格納する投票回数記憶部とを有し、投票者の投票毎の集計の際に前記磁気媒体の受付フラグがオン状態であることを確認した後に前記受付回数記憶部の値を“１”増やし、前記磁気媒体の受付フラグと投票フラグがともにオン状態の場合に前記投票回数記憶部の値に“１”増やし、前記受付回数記憶部の値と前記投票回数記憶部の値との差分を投票行為を回避した未投票回数として計算することを特徴とする電子投票方法。
【請求項１６】
投票の受付処理をする受付装置と、投票者の投票行為の処理を含む投票処理を行う投票装置と、集計を行う出口装置と、これらの各装置で読み書き可能な１以上の不揮発性の記憶媒体とを有し受付回数と投票回数とを集計する電子投票方法であって、
前記記憶媒体は、受付をしたことを示す受付フラグと投票をしたことを示す投票フラグとを有し、
前記受付装置は、投票者の受付処理の際に前記磁気媒体の受付フラグをオン状態とし、
前記投票装置は、投票者の投票処理の際に前記磁気媒体の受付フラグがオン状態且つ前記磁気媒体の投票フラグがオフ状態であることを確認した後に投票行為を許可し、前記磁気媒体の投票フラグをオン状態とし、
前記出口装置は、受付回数を格納する受付回数記憶部と投票回数を格納する投票回数記憶部とを有し、投票者の投票毎の集計の際に前記磁気媒体の受付フラグがオン状態であることを確認した後に前記受付回数記憶部の値を“１”増やし、前記磁気媒体の受付フラグと投票フラグがともにオン状態の場合に前記投票回数記憶部の値に“１”増やし、その後前記磁気媒体の受付フラグと投票フラグとをともにオフ状態とし、前記受付回数記憶部の値と前記投票回数記憶部の値との差分を投票行為を回避した未投票回数として計算することを特徴とする電子投票方法。
【発明の詳細な説明】
【技術分野】
【０００１】
本発明は電子投票システム、投票用記憶媒体、電子投票方法、及びプログラムに関し、特に、投票所での受付回数と投票者の投票回数とを集計する技術に関する。
【背景技術】
【０００２】
近年、コンピュータを使用して投票を行い、投票終了後ただちに投票結果を集計して開票結果を得ることができる電子投票システムが開発されている。このようなシステムは有権者が投票操作を行う投票装置で投票された投票データを集計装置で集計することにより、ただちに開票結果を得られるとともに、人手を介することによって発生する集計ミスを防止することができる。
【０００３】
例えば、特開２００１−２４３３９５号公報では、投票開始前に投票チケットを格納した投票カードを有権者分だけ作成しておき、受付で有権者の確認後受付端末署名を投票カードに格納して有権者に渡す。有権者が渡された投票カードを投票装置に挿入すると、投票装置は署名を検証した後に候補者の一覧を表示して有権者の投票を促し投票結果を投票カードに格納する。有権者が投票カードを出口端末に読み込ませると、出口端末は投票結果を集計サーバに送り集計装置で各候補者毎の得票数を集計する。
【０００４】
【特許文献１】特開２００１−２４３３９５号公報
【発明の開示】
【発明が解決しようとする課題】
【０００５】
電子投票では、投票者は受付で投票ハガキを提示した後、従来の投票用紙の代わりに情報を記憶できる記憶媒体である投票カードを発行してもらい投票カードにより投票装置で投票行為を行うが、特許文献１のように投票カードを有権者全員分用意する方法では投票カードの作成・保管に費用がかさむという問題がある。
【０００６】
また、投票カードを有権者分作成する代わりに、投票カードを投票行為を滞らせないように適当な数だけ準備して使い回して投票者毎に発行する方法では、費用はさえられるが、実際に投票者が受付をした数と投票した数が一致しなかった場合に、その原因を究明することが非常に困難になるという問題がある。
【０００７】
すなわち、投票者の受付数と投票数が一致することが選挙が不正なく行われた事を証明する重要な証拠となるが、投票者が受付で発行された投票カードを投票装置で投票せずに返却した場合も受付数と投票数との不一致原因となり、また人為的な運用ミスの場合も受付数と投票数との不一致原因となるが、どちらのケースかを厳密に立証する事は困難となる。
【０００８】
本発明の目的は、投票者の受付数と投票数との不一致原因が投票者の投票回避にあるのか、運用ミスなのかを簡単に切り分け選挙の正当性を証明することができる電子投票システム、投票用記憶媒体、電子投票方法、及びプログラムを提供することにある。
【課題を解決するための手段】
【０００９】
本発明の請求項１の電子投票システムは、投票の受付処理をする受付装置と、投票者の投票行為の処理を含む投票処理を行う投票装置と、これらの各装置で読み書き可能な１以上の不揮発性の記憶媒体とを有する電子投票システムであって、
前記記憶媒体は、受付回数を格納する受付回数記憶部Ａと、投票回数を格納する投票回数記憶部Ａとを有し、
前記受付装置は投票者の受付処理の際に前記磁気媒体の受付回数記憶部Ａの値を“１”増やし、
前記投票装置は投票者の投票処理の際に前記磁気媒体の投票回数記憶部Ａの値を“１”増やし、
受付回数と投票回数の差分から投票回避した数を得ること特徴とする。
【００１０】
本発明の請求項２の電子投票システムは、投票の受付処理をする受付装置と、投票者の投票行為の処理を含む投票処理を行う投票装置と、集計を行う集計装置と、これらの各装置で読み書き可能な１以上の不揮発性の記憶媒体とを有する電子投票システムであって、
前記記憶媒体は受付回数を格納する受付回数記憶部Ａと投票回数を格納する投票回数記憶部Ａとを有し、
前記受付装置は投票者の受付処理の際に前記磁気媒体の受付回数記憶部Ａの値を“１”増やし、
前記投票装置は投票者の投票処理の際に前記磁気媒体の投票回数記憶部Ａの値を“１”増やし、
前記集計装置は、受付回数を格納する受付回数記憶部Ｂと投票回数を格納する投票回数記憶部Ｂとを有し、前記磁気媒体毎の集計の際に受付回数記憶部Ａの値を前記受付回数記憶部Ｂの値に加算し、投票回数記憶部Ａの値を前記投票回数記憶部Ｂの値に加算し、これらの差分を投票者が投票回避した未投票回数として計算することを特徴とする。
【００１１】
本発明の請求項３の電子投票システムは、投票の受付処理をする受付装置と、投票者の投票行為の処理を含む投票処理を行う投票装置と、集計を行う集計装置と、これらの各装置で読み書き可能な１以上の不揮発性の記憶媒体とを有する電子投票システムであって、
前記記憶媒体は、受付回数を格納する受付回数記憶部Ａと、投票回数を格納する投票回数記憶部Ａと、前記投票装置で投票を実行したことを示す投票フラグと、前記集計装置で集計をしたことを示す集計フラグとを有し、
前記受付装置は、投票者の受付処理の際に前記磁気媒体の受付回数記憶部Ａの値を“１”増やし、前記磁気媒体の投票フラグと集計フラグとをともにオフ状態とし、
前記投票装置は、投票者の投票処理の際に前記磁気媒体の投票フラグがオフ状態であることを確認した後に投票行為を許可し、前記磁気媒体の投票回数記憶部Ａの値を“１”増やすとともに前記磁気媒体の投票フラグをオン状態とし、
前記集計装置は、受付回数を格納する受付回数記憶部Ｂと投票回数を格納する投票回数記憶部Ｂとを有し、集計の際に前記磁気媒体の集計フラグがオフ状態である場合に、前記磁気媒体の受付回数記憶部Ａの値を前記受付回数記憶部Ｂの値に加算するとともに前記磁気媒体の投票回数記憶部Ａの値を前記投票回数記憶部Ｂの値に加算し、加算後に集計フラグをオン状態とし加算後の前記受付回数記憶部Ｂの値と加算後の前記投票回数記憶部Ｂの値との差分を投票行為を回避した未投票回数として計算することを特徴とする。
【００１２】
本発明の請求項４の電子投票システムは、前記請求項３の電子投票システムにおいて、前記投票装置は、表示手段を有し、投票処理の際に投票フラグを確認して投票フラグがオフ状態でない場合、投票行為を無効とするとともにその旨を示すエラーメッセージを表示し、
前記集計装置は、表示手段を有し、集計フラグの確認の際に集計フラグがオフ状態でない場合その旨を示すエラーメッセージを表示することを特徴とする。
【００１３】
本発明の請求項５の電子投票システムは、前記請求項３又は４の電子投票システムにおいて、前記集計装置は表示手段を有し、前記加算後の前記受付回数記憶部Ｂの値と前記加算後の前記投票回数記憶部Ｂの値と、前記未投票回数とを各投票カードの集計毎に表示することを特徴とする。
【００１４】
本発明の請求項６の電子投票システムは、投票の受付処理をする受付装置と、投票者の投票行為の処理を含む投票処理を行う投票装置と、集計を行う集計装置と、これらの各装置で読み書き可能な１以上の不揮発性の記憶媒体とを有する電子投票システムであって、
前記記憶媒体は、受付をしたことを示す受付フラグと投票をしたことを示す投票フラグとを有し、
前記受付装置は、投票者の受付処理の際に前記磁気媒体の受付フラグをオン状態とし、
前記投票装置は、投票者の投票処理の際に前記磁気媒体の投票フラグをオン状態とし、
前記出口装置は、受付回数を格納する受付回数記憶部と投票回数を格納する投票回数記憶部とを有し、投票者の投票毎の集計の際に前記磁気媒体の受付フラグがオン状態であることを確認した後に前記受付回数記憶部の値を“１”増やし、前記磁気媒体の受付フラグと投票フラグがともにオン状態の場合に前記投票回数記憶部の値に“１”増やし、前記受付回数記憶部の値と前記投票回数記憶部の値との差分を投票行為を回避した未投票回数として計算することを特徴とする。
【００１５】
本発明の請求項７の電子投票システムは、投票の受付処理をする受付装置と、投票者の投票行為の処理を含む投票処理を行う投票装置と、集計を行う出口装置と、これらの各装置で読み書き可能な１以上の不揮発性の記憶媒体とを有する電子投票システムであって、
前記記憶媒体は、受付をしたことを示す受付フラグと投票をしたことを示す投票フラグとを有し、
前記受付装置は、投票者の受付処理の際に前記磁気媒体の受付フラグをオン状態とし、
前記投票装置は、投票者の投票処理の際に前記磁気媒体の受付フラグがオン状態且つ前記磁気媒体の投票フラグがオフ状態であることを確認した後に投票行為を許可し、前記磁気媒体の投票フラグをオン状態とし、
前記出口装置は、受付回数を格納する受付回数記憶部と投票回数を格納する投票回数記憶部とを有し、投票者の投票毎の集計の際に前記磁気媒体の受付フラグがオン状態であることを確認した後に前記受付回数記憶部の値を“１”増やし、前記磁気媒体の受付フラグと投票フラグがともにオン状態の場合に前記投票回数記憶部の値に“１”増やし、その後前記磁気媒体の受付フラグと投票フラグとをともにオフ状態とし、前記受付回数記憶部の値と前記投票回数記憶部の値との差分を投票行為を回避した未投票回数として計算することを特徴とする。
【００１６】
本発明の請求項８の電子投票システムは、前記請求項７の電子投票システムにおいて、前記投票装置は、表示手段を有し、投票処理の際の受付フラグと投票フラグの確認において、投票フラグがオフ状態又は投票フラグがオン状態の場合、投票行為を無効とするとともにその旨を示すエラーメッセージを表示し、
前記出口装置は、表示手段を有し、受付フラグの確認の際に受付フラグがオフ状態の場合その旨を示すエラーメッセージを表示することを特徴とする。
【００１７】
本発明の請求項９の電子投票システムは、前記請求項７又は８の電子投票システムにおいて、前記出口装置は表示手段を有し、前記受付回数記憶部の値と前記投票回数記憶部の値と、前記未投票回数とを投票毎の投票カードの集計毎に表示することを特徴とする。
【００１８】
本発明の請求項１０の電子投票システムは、前記請求項１乃至９のいずれかの電子投票システムにおいて、前記磁気媒体はカード型形状の磁気カード、情報の記憶機能に加えて情報の処理機能を有するカード型形状のＩＣカード、又は電磁波による電力供給を受けて読み書きの動作をする非接触型の記憶媒体であることを特徴とする。
【００１９】
本発明の請求項１１の投票用記憶媒体は、電子投票で投票者が投票の際に使用する記憶媒体であって、受付回数を格納する受付回数記憶部と、投票回数を格納する投票回数記憶部とを有し、前記受付回数記憶部は投票者の受付を行う受付装置にて“１”加算されて受付回数を蓄積し、前記投票回数記憶部は投票者の投票を行う投票装置にて“１”加算されて投票回数を蓄積することを特徴とする。
【００２０】
本発明の請求項１２の電子投票方法は、投票の受付処理をする受付装置と、投票者の投票行為の処理を含む投票処理を行う投票装置と、これらの各装置で読み書き可能な１以上の不揮発性の記憶媒体とを有し受付回数と投票回数とを集計する電子投票方法であって、
前記記憶媒体は、受付回数を格納する受付回数記憶部Ａと、投票回数を格納する投票回数記憶部Ａとを有し、
前記受付装置は投票者の受付処理の際に前記磁気媒体の受付回数記憶部Ａの値を“１”増やし、
前記投票装置は投票者の投票処理の際に前記磁気媒体の投票回数記憶部Ａの値を“１”増やし、
受付回数と投票回数の差分から投票回避した数を得ること特徴とする。
【００２１】
本発明の請求項１３の電子投票方法は、投票の受付処理をする受付装置と、投票者の投票行為の処理を含む投票処理を行う投票装置と、集計を行う集計装置と、これらの各装置で読み書き可能な１以上の不揮発性の記憶媒体とを有し受付回数と投票回数とを集計する電子投票方法であって、
前記記憶媒体は受付回数を格納する受付回数記憶部Ａと投票回数を格納する投票回数記憶部Ａとを有し、
前記受付装置は投票者の受付処理の際に前記磁気媒体の受付回数記憶部Ａの値を“１”増やし、
前記投票装置は投票者の投票処理の際に前記磁気媒体の投票回数記憶部Ａの値を“１”増やし、
前記集計装置は、受付回数を格納する受付回数記憶部Ｂと投票回数を格納する投票回数記憶部Ｂとを有し、前記磁気媒体毎の集計の際に受付回数記憶部Ａの値を前記受付回数記憶部Ｂの値に加算し、投票回数記憶部Ａの値を前記投票回数記憶部Ｂの値に加算し、これらの差分を投票者が投票回避した未投票回数として計算することを特徴とする。
【００２２】
本発明の請求項１４の電子投票方法は、投票の受付処理をする受付装置と、投票者の投票行為の処理を含
む投票処理を行う投票装置と、集計を行う集計装置と、これらの各装置で読み書き可能な１以上の不揮発性の記憶媒体とを有し受付回数と投票回数とを集計する電子投票方法であって、
前記記憶媒体は、受付回数を格納する受付回数記憶部Ａと、投票回数を格納する投票回数記憶部Ａと、前記投票装置で投票を実行したことを示す投票フラグと、前記集計装置で集計をしたことを示す集計フラグとを有し、
前記受付装置は、投票者の受付処理の際に前記磁気媒体の受付回数記憶部Ａの値を“１”増やし、前記磁気媒体の投票フラグと集計フラグとをともにオフ状態とし、
前記投票装置は、投票者の投票処理の際に前記磁気媒体の投票フラグがオフ状態であることを確認した後に投票行為を許可し、前記磁気媒体の投票回数記憶部Ａの値を“１”増やすとともに前記磁気媒体の投票フラグをオン状態とし、
前記集計装置は、受付回数を格納する受付回数記憶部Ｂと投票回数を格納する投票回数記憶部Ｂとを有し、集計の際に前記磁気媒体の集計フラグがオフ状態である場合に、前記磁気媒体の受付回数記憶部Ａの値を前記受付回数記憶部Ｂの値に加算するとともに前記磁気媒体の投票回数記憶部Ａの値を前記投票回数記憶部Ｂの値に加算し、加算後に集計フラグをオン状態とし加算後の前記受付回数記憶部Ｂの値と加算後の前記投票回数記憶部Ｂの値との差分を投票行為を回避した未投票回数として計算することを特徴とする。
【００２３】
本発明の請求項１５の電子投票方法は、投票の受付処理をする受付装置と、投票者の投票行為の処理を含む投票処理を行う投票装置と、集計を行う集計装置と、これらの各装置で読み書き可能な１以上の不揮発性の記憶媒体とを有し受付回数と投票回数とを集計する電子投票方法であって、
前記記憶媒体は、受付をしたことを示す受付フラグと投票をしたことを示す投票フラグとを有し、
前記受付装置は、投票者の受付処理の際に前記磁気媒体の受付フラグをオン状態とし、
前記投票装置は、投票者の投票処理の際に前記磁気媒体の投票フラグをオン状態とし、
前記出口装置は、受付回数を格納する受付回数記憶部と投票回数を格納する投票回数記憶部とを有し、投票者の投票毎の集計の際に前記磁気媒体の受付フラグがオン状態であることを確認した後に前記受付回数記憶部の値を“１”増やし、前記磁気媒体の受付フラグと投票フラグがともにオン状態の場合に前記投票回数記憶部の値に“１”増やし、前記受付回数記憶部の値と前記投票回数記憶部の値との差分を投票行為を回避した未投票回数として計算することを特徴とする。
【００２４】
本発明の請求項１６の電子投票方法は、投票の受付処理をする受付装置と、投票者の投票行為の処理を含む投票処理を行う投票装置と、集計を行う出口装置と、これらの各装置で読み書き可能な１以上の不揮発性の記憶媒体とを有し受付回数と投票回数とを集計する電子投票方法であって、
前記記憶媒体は、受付をしたことを示す受付フラグと投票をしたことを示す投票フラグとを有し、
前記受付装置は、投票者の受付処理の際に前記磁気媒体の受付フラグをオン状態とし、
前記投票装置は、投票者の投票処理の際に前記磁気媒体の受付フラグがオン状態且つ前記磁気媒体の投票フラグがオフ状態であることを確認した後に投票行為を許可し、前記磁気媒体の投票フラグをオン状態とし、
前記出口装置は、受付回数を格納する受付回数記憶部と投票回数を格納する投票回数記憶部とを有し、投票者の投票毎の集計の際に前記磁気媒体の受付フラグがオン状態であることを確認した後に前記受付回数記憶部の値を“１”増やし、前記磁気媒体の受付フラグと投票フラグがともにオン状態の場合に前記投票回数記憶部の値に“１”増やし、その後前記磁気媒体の受付フラグと投票フラグとをともにオフ状態とし、前記受付回数記憶部の値と前記投票回数記憶部の値との差分を投票行為を回避した未投票回数として計算することを特徴とする。
【発明の効果】
【００２５】
本発明によれば、投票カードを用いて投票者の受付数と投票者の投票数とを集計することにより、受付数と投票数との不一致原因が投票者の投票回避にあるのか、運用ミスなのかを簡単に切り分けることができるという効果がある。
【発明を実施するための最良の形態】
【００２６】
次に、本発明を実施するための最良の形態について図面を参照して詳細に説明する。
図１は本発明の第１の電子投票システムの構成を示した図である。本発明の第１の電子投票システムは受付装置１１と、投票装置２１と、投票カード３１と、集計装置４１とを含み、受付装置１１と投票装置２１と集計装置４１との間のデータの移動は投票カード３１により行われる。
【００２７】
投票カード３１は、情報を記憶する機能を持ち他の装置によって記憶した情報を読み出したり書き込んだりする機能を持った記憶媒体であり、例えば、磁気記憶手段に情報を記録して保存する磁気カードや、上表の記憶機能に加えて情報の処理機能を有するＩＣカードのようなカード形状の記憶媒体である。また、読み書き側の装置の所定位置にセットされ接触して情報の読み書きをする記憶媒体の他に、読み書き側の装置から電磁波により電力供給を受けることにより非接触状態で読み書きが可能な非接触型の記憶媒体（非接触カード）であっても良い。
【００２８】
以降の説明では読み書き側の装置に挿入することにより読み書きを行う接触型でカード形状の磁気カードを記憶媒体の代表として説明していくが、別の記憶媒体であっても容易に機能や動作を理解できるので別の記憶媒体に関する説明は省略する。なお、非接触型の媒体の場合は、読み書き側の装置に非接触カードに対して電磁波で電力を供給するための手段が必要となるが詳細な説明は省略する。
【００２９】
投票カード３１は受付回数を累積して記憶する受付回数記憶部３２と、投票回数を累積して記憶する投票回数記憶部３３と、投票前にはオフ状態（以降各フラグともオフ状態の状態値を“０”とする）で投票を済ませるとオン状態（以降各フラグとも状態値を“１”とする）とするよう制御される投票フラグを記憶する投票フラグ部３４と、集計前には“０”とし集計を済ませると“１”とするよう制御される集計フラグを記憶する集計フラグ部３５とを含む。
【００３０】
投票カード３１は投票所の受付で選挙管理の担当者から投票者に渡され、投票者は投票カード３１を投票装置２１に挿入して投票行為を行い、投票後に投票者が担当者に投票カード３１を返すと、再度受付の担当者に戻されて繰り返し使用される。通常、投票カード３１は複数の投票者が同時に受付した場合でも待つことなく投票ができる程度の枚数が使用される。
【００３１】
受付装置１１は、通常投票所の受付に置かれる情報処理装置であり、初期化部１２、受付回数読込部１３、受付回数加算部１４、受付回数書込部１５、及びカード制御部１６を含む。初期化部１２は投票カード３１の受付回数記憶部３２と投票回数記憶部３３をともに“０”とする。受付回数読込部１３は各投票カード３１が受付回数記憶部３２に記憶している受付回数を受付装置１１に読み込む。受付回数加算部１４は投票カード３１から読み込んだ受付回数に“１”を加算する。受付回数書込部１５は加算した結果の受付回数を投票カード３１の受付回数記憶部３２に書き込む。
【００３２】
カード読み書き部１６は投票カード３１に対して読み込みと書き込みを実行するための機能を持つ。初期化部１２、受付回数読込部１３、受付回数加算部１４、及び受付回数書込部１５は通常プログラムで実現され、受付装置１１の記憶手段に格納され受付装置１１のＣＰＵ上で実行される。
【００３３】
投票装置２１は、投票所内の投票場所に設置される情報処理装置であり、図示しないが記憶手段とＣＰＵと表示装置と入力装置を含み、投票処理部２２、投票回数読込部２３、投票回数加算部２４、投票回数書込部２５、及びカード読み書き部２６を含む。投票処理部２２、投票回数読込部２３、投票回数加算部２４、及び投票回数書込部２５は通常プログラムで実現され、投票装置２１の記憶手段に格納され投票装置２１のＣＰＵ上で実行される。投票処理部２２は、表示装置に投票の対象となる候補者名や政党名の一覧を表示したり、投票者が入力装置から入力した投票の結果情報を取得して集計や通報等の処理をしたりするが、その処理方法については特に限定しない。
【００３４】
投票回数読込部２３は各投票カード３１が投票回数記憶部３３に記憶している投票回数を投票装置２１に読み込む。投票回数加算部２４は投票カード３１から読み込んだ投票回数に“１”を加算する。投票回数書込部２５は加算した結果の投票回数を投票カード３１の投票回数記憶部３３に書き込む。カード読み書き部２６は投票カード３１に対して読み込みと書き込みを実行するための機能を持つ。
【００３５】
集計装置４１は、投票所に設置される情報処理装置であり図示しないが記憶手段やＣＰＵを含み、さらに受付回数読込部４２、受付回数集計部４３、受付回数記憶部４４、投票回数読込部４５、投票回数集計部４６、投票回数記憶部４７、集計結果表示部４８、及びカード読み書き部２６を含む。
【００３６】
受付回数読込部４２、受付回数集計部４３、受付回数記憶部４４、投票回数読込部４５、投票回数集計部４６、投票回数記憶部４７、及び集計結果表示部４８は通常プログラムで実現され、集計装置４１の記憶手段に格納され集計装置４１のＣＰＵ上で実行される。
【００３７】
受付回数読込部４２は投票カード３１の受付回数記憶部３２に記録されている受付回数を読み込む。受付回数記憶部４４は各投票カード３１に蓄積された受付回数の集計値を記憶する。受付回数集計部４３は受付回数記憶部４４に記憶されている受付回数に投票カード３１から読み込んだ受付回数を加算する。投票回数読込部４５は投票カード３１の投票回数記憶部３３に記録されている投票回数を読み込む。投票回数記憶部４７は各投票カード３１に蓄積された投票回数の集計値を記憶する。投票回数集計部４６は投票回数記憶部４７に記憶されている受付回数に投票カード３１から読み込んだ受付回数を加算する。集計結果表示部４８は、集計された受付回数と投票回数及び未投票回数を画面に表示する。カード読み書き部４９は投票カード３１に対して読み込みと書き込みを実行するための機能を持つ。
【００３８】
次に、本発明の第１の電子投票システムの動作について図面を参照して説明する。動作の説明は受付装置１１、投票装置２１、集計装置４１の順にそれぞれ図２、図３、図４のフローチャートを参照して行う。
【００３９】
まず、受付装置１１の動作について図２のフローチャートを参照して説明する。投票を開始する前に投票所の担当者は投票カード３１の受付回数と投票回数をリセットしておく必要がある。そのために受付装置１１に初期化部１２を起動するよう予め決められた方法で設定してから、投票カード３１を受付装置１１のカード読み書き部１６に所定の方法でセットする。
【００４０】
カード読み書き部１６はセットされたカードが投票カード３１であることを確認すると設定された起動情報に従って初期化部１２を起動する。初期化部１２はセットされた投票カード３１の受付回数記憶部３２と投票回数記憶部３３に“０”を書き込む。このリセット操作は投票の際に使用する全ての投票カード３１に対して行う。ただし、投票カード３１のリセットは、受付装置１１以外で実行するようにしてもかまわない。
【００４１】
ここで起動方法の設定は例えば受付装置１１に専用の初期化スイッチを設ける方法等があるが限定しない。また、投票カード３１のセット方法は特に限定するものではないが、以降の説明ではカード読み書き部１６にカードの挿入口を取り付け人手で挿入することによりセットするものとする。またカード読み書き部２６とカード読み書き部４９も同様とする。
【００４２】
全ての投票カード３１のリセットが終了すると、担当者は受付装置１１を初期化起動の設定から受付処理の起動に設定を変更して投票の受付を開始する。投票が始まり投票者が投票所の受付に来ると、受付の担当者は投票者の確認を行い正当な投票者である場合には、投票カード３１を受付装置１１に挿入する。
【００４３】
カード読み書き部１６は投票カード３１が挿入されると受付回数読込部１３を起動する（Ｓ１０１）。受付回数読込部１３は投票カード３１の受付回数記憶部３２から投票回数を読み込み、次に受付回数加算部１４を起動する（Ｓ１０２）。受付回数加算部１４は読み込んだ受付回数に“１”を加算して、次に受付回数書込部１５を起動する（Ｓ１０３）。
【００４４】
受付回数書込部１５は加算された受付回数をカード読み書き部１６に指示して受付回数記憶部３２に書き込み（Ｓ１０４）、カード読み書き部１６に指示して投票カード３１の投票フラグ部３４に“０”を書き込む（Ｓ１０５）。以上の書き込みが終わると受付回数書込部１５はカード読み書き部１６に指示して投票カード３１を排出する（Ｓ１０６）。
【００４５】
以上の動作により、投票カード３１は投票回数が“１”加算され、投票回数が投票カード３１内に累積されていく。担当者は投票者に排出された投票カード３１を手渡し、投票を促す。投票者は、投票カード３１を持って投票装置２１へ向かう。
【００４６】
次に、投票装置２１の動作について図３のフローチャートを参照して説明する。投票者が投票カード３１を投票装置２１に挿入すると、カード読み書き部２６は投票カード３１の挿入を確認して投票回数読込部２３を起動する（Ｓ２０１）。投票回数読込部２３はカード読み書き部２６に指示して投票フラグ部３４から投票フラグを読み込み（Ｓ２０２）、投票フラグが“０”であることを確認する（Ｓ２０４）。
【００４７】
投票フラグが“０”でない場合、投票回数読込部２３は異常としてエラー処理を行い“すでに投票済みです”のようなエラーメッセージを投票装置２１の表示装置に表示して（Ｓ２１０）、カード読み書き部２６に指示して投票カード３１を排出する（Ｓ２０９）。
【００４８】
投票フラグが“０”の場合、投票回数読込部２３はカード読み書き部２６に指示して投票回数記憶部３３から投票回数を読み込み、投票回数加算部２４を起動する（Ｓ２０４）。投票回数加算部２４は読み込んだ投票回数に“１”を加算し、投票回数書込部２５を起動する（Ｓ２０５）。
【００４９】
投票回数書込部２５は、カード読み書き部２６に指示して加算された投票回数を投票回数記憶部３３に書き込み（Ｓ２０６）、続いてカード読み書き部２６に指示して投票フラグ部３４に“１”を書き込み（Ｓ２０７）、投票処理部２２を起動する。
【００５０】
投票処理部２２は投票の対象となる候補者名の一覧を投票装置２１の表示部に表示し投票者に選択を促す。候補者ではなく政党を選択する選挙では候補者の一覧の代わりに政党名の一覧を表示する。投票者が候補者の選択操作を完了し投票を終えるのを待って（Ｓ２０８）、カード読み書き部２６に指示して投票カード３１を排出する（Ｓ２０９）。投票が終わると投票処理部２２はさらに投票結果の集計や所定の通報先へ通報を行う等の処理を実行するがこの処理内容については限定しない。
【００５１】
投票者は投票が終わると排出された投票カード３１を持って退出の際に選挙担当者に戻す。選挙担当者は戻された投票カード３１を受付の担当に渡し、受付の担当者は投票カード３１を同様にして繰り返し使用する。従って、投票カード３１には投票カード３１が受け付けた投票者の数だけ受付回数が蓄積され、投票回数も蓄積される。各投票カード３１は同じように使用される。
【００５２】
以上のように投票者による投票によって、投票カード３１の投票回数が“１”加算されるとともに、投票フラグ３４が“１”となり投票者が２度投票することを防止する。また、投票者が受付をした後に何らかの理由により投票をしなかった場合には投票カード３１は受付回数だけ＋１されるが、投票回数は＋１されずに値が保持される。従って受付回数と投票回数の差分は投票者が意図的に投票を拒否した行為であることが明確になる。
【００５３】
次に、集計装置４１の動作について図４のフローチャートを参照して説明する。投票終了時刻になって投票が終了すると、選挙担当者は、受付回数と投票回数を集計装置４１によって集計するために、投票の際に使用された全ての投票カード３１を集め、以下の手順で集計する。
【００５４】
選挙担当者が投票カード３１を集計装置４１に挿入すると、カード読み書き部４９は挿入されたカードが投票カード３１であることを確認して受付回数読込部４２を起動する（Ｓ３０１）。受付回数読込部４２は、カード読み書き部４９に指示して集計フラグ部３５から集計フラグを読み込み集計フラグが“０”であることを確認する（Ｓ３０２）。
【００５５】
集計フラグが“０”でない場合、受付回数読込部４２は、エラー処理を実行し（Ｓ３０９）、カード読み書き部４９に指示して投票カード３１を排出する（Ｓ３１０）。エラー処理としては、集計装置４１に組み込まれるか接続された表示装置に“すでに集計済みです”というメッセージを表示したり、そのことを知らせるためのアラームを音や発行素子等で知らせたりする方法があるがこれ以外の方法で処理しても良い。担当者はアラームによって重複読み込みを防止することができる。
【００５６】
集計フラグが“０”の場合、受付回数読込部４２はカード読み書き部４９に指示して受付回数記憶部３２から投票カード３１の受付回数（Ａとする）を読み込み、受付回数集計部４３を起動する（Ｓ３０３）。受付回数集計部４３は受付回数記憶部４４から受付回数（Ｂとする）を読み出して投票カード３１の受付回数Ａに加算して加算結果の受付回数（Ｃとする）を受付回数記憶部４４に書き込み投票回数読込部４５を起動する（Ｓ３０４）。
【００５７】
投票回数読込部４５はカード読み書き部４９に指示して投票回数記憶部３３から投票カード３１の投票回数（Ｄとする）を読み込み投票回数集計部４６を起動する（Ｓ３０５）。投票回数集計部４６は、投票回数記憶部４７から投票回数（Ｅとする）を読み込んで投票カード３１の投票回数Ｄに加算し加算結果の投票回数（Ｆとする）を投票回数記憶部４７に書き込み、さらに２重の集計を防止するために集計フラグ部３５に“１”を書き込む（Ｓ３０６）。その後、投票回数集計部４６はカード読み書き部４９に指示して投票カード３１を排出し集計結果表示部４８を起動する（Ｓ３０７）。
【００５８】
集計結果表示部４８は、集計した受付回数を受付回数記憶部４４から取り出し、集計した投票回数を投票回数記憶部４７から取り出し、受付回数から投票回数を減算して未投票回数を計算し、これら集計された受付回数と投票回数と未投票回数とを図示しないが集計装置４１に組み込まれるか接続される表示装置に表示する（Ｓ３０８）。
【００５９】
以上の図４の手順を投票で使用された全ての投票カード３１に対して実行することにより、１つの投票所における受付回数と投票回数と未投票回数とが集計される。これにより、投票所で受け付けた投票者の人数と、実際に投票行為をした投票者の人数と受付はしたが実際には投票行為をしなかった投票者の人数が明確になり、受付者の総数と投票結果の総数との差分の分析において投票を拒否した投票者数が明確になり、分析が容易になる。また、投票カード３１に投票フラグ部３４と集計フラグ部３５とを設け管理することにより、２重の投票行為や２重の集計処理を防止することができる。
【００６０】
次に、本発明の第２の電子投票システムについて図面を参照して説明する。図５は本発明の第２の電子投票システムの構成を示した図である。図５を参照すると、本発明の第２の電子投票システムは、受付装置５１と、投票装置６１と、出口装置８１と、投票カード７１とを含み、受付装置５１と投票装置６１と出口装置８１との間のデータの移動は投票カード７１で行われる。投票カード７１は１枚でも良いが、通常は複数の投票者が平行して投票を行える程度の数が使用される。
【００６１】
本発明の第１の電子投票システムは投票カード３１が受付回数と投票回数の累積値をそれぞれ記憶しておき、投票終了後の集計の段階で全ての投票カード３１に対して集計装置４１で集計するようにしている。これに対して本発明の第２の電子投票システムでは投票カード７１は累積値を記憶せず、集計装置４１に代わって出口装置８１を設け、投票者が投票を終わるたびに出口装置８１で受付回数や投票回数を累積していくようにしている。
【００６２】
投票カード７１は、投票カード３１と同様の機能を持った記憶媒体であり、投票所の受付を済ませると“１”となる受付フラグを記憶する受付フラグ部７２と、投票を済ませると“１”となる投票フラグを記憶する投票フラグ部７３とを含む。投票カード７１は投票カード３１と同様に、例えば、磁気カード、ＩＣカード、又は非接触カード等である。
【００６３】
受付装置５１は、図示しないが記憶手段とＣＰＵを有した情報処理装置であり投票所の受付のところに設置され、投票カード７１に対して読み込みと書き込みを制御実行するカード読み書き部５３と、カード読み書き部５３を制御して投票カード７１の受付フラグ部７２に“１”を書き込む受付フラグ書込部５２を含む。受付フラグ書込部５２は、受付装置５１の記憶手段に格納され記憶装置５１のＣＰＵ上で実行されるプログラムで実現されるが、ハードウェア回路のようにプログラム以外で実現してもかまわない。
【００６４】
カード読み書き部５３は投票カード７１が所定の位置にセットされることにより投票カード７１の読み書きが可能となる。そのセット方法は特に限定しないが第１の電子投票システムと同様に投票カード７１をカード読み書き部５３に設けた挿入口に挿入することによりセットするものとして以降説明する。なお、投票装置６１のカード読み書き部６５と出口装置８１のカード読み書き部９２もカード読み書き部５３と同様な機能を持つ。
【００６５】
投票装置６１は、図示しないが記憶手段とＣＰＵを有した情報処理装置であり投票所内の投票場所に設置され、投票処理部６２と、受付フラグ確認部６３と、投票フラグ書込部６４と、カード読み書き部６５とを含む。投票処理部６２と受付フラグ確認部６３と投票フラグ書込部６４とは投票装置６１の記憶手段に格納され投票装置６１のＣＰＵ上で実行されるプログラムで実現されるが、ハードウェア回路のようにプログラム以外で実現してもかまわない。
【００６６】
カード読み書き部６５は、カード書込部５３と同様な機能を有し投票カード７１に対する読み書きを制御・実行する。受付フラグ確認部６３は、挿入された投票カード７１の受付フラグが受付済みであるか（“１”であるか）を確認する。投票フラグ書込部６４は、投票者が投票したことを記録するために投票カード７１の投票フラグ部７３に“１”を書き込む。投票処理部６２は本発明の第１の電子投票システムの投票装置２１の投票処理部２２と同様に、投票の対象となる候補の一覧を表示して投票を促し投票結果を処理する。
【００６７】
出口装置８１は、図示しないが記憶集団やＣＰＵを有した情報処理装置であり通常は投票所の出口近辺に設置され、受付フラグ読込部８２と、受付回数集計部８３と、受付フラグ初期化部８４と、受付回数記憶部８５と、投票フラグ読込部８６と、投票回数集計部８７と、投票フラグ初期化部８８と、投票回数記憶部８９と、投票率計算部９０と、集計結果表示部９１と、カード読み書き部９２とを含む。受付フラグ読込部８２と受付回数集計部８３と受付フラグ初期化部８４と投票フラグ読込部８６と投票回数集計部８７と投票フラグ初期化部８８と投票率計算部９０とは、集計結果表示部９１とは出口装置８１の記憶手段に格納され出口装置８１のＣＰＵ上で実行されるプログラムで実現されるが、ハードウェア回路のようにプログラム以外で実現してもかまわない。
【００６８】
カード読み書き部９２は、カード書込部５３と同様な機能を有し投票カード７１に対する読み書きを制御・実行する。受付フラグ読込部８２は投票カード７１から受付フラグを読み込む。受付回数記憶部８５は投票所の受付回数の累積値を記憶する。受付回数集計部８３は投票カード７１を受け付けるたびに受付回数記憶部８５の値に“１”を加算する。受付フラグ初期化部８４は投票カード７１の受付フラグ部７２に“０”を書き込んで初期化する。
【００６９】
投票フラグ読込部８６は投票カード７１から投票フラグを読み込む。投票回数記憶部８９は投票所の投票回数の累積値を記憶する。投票回数集計部８７は投票カード７１を受け付けるたびに投票回数記憶部８９の値に“１”を加算する。投票フラグ初期化部８８は投票カード７１の投票フラグ部７３に“０”を書き込んで初期化する。投票率計算部９０は選挙前に分かっている投票所に投票にくる有権者数に対する受付数の割合を投票率として計算する。集計結果表示部９１は受付回数、投票回数、未投票回数、投票率等の集計結果を図示しないが出口装置８１配下の表示装置に表示する。
【００７０】
次に、本発明の第２の電子投票システムの動作について図面を参照して説明する。動作の説明は受付装置５１、投票装置６１、出口装置８１の順にそれぞれ図６、図７、図８のフローチャートを参照して行う。
【００７１】
まず、受付装置５１の動作について図５のフローチャートを参照して説明する。選挙を開始する前に投票所の担当者は投票カード３１の受付フラグと投票フラグをリセットしておく必要がある。リセット方法については限定しないが、受付装置５１や出口装置８１にその機能を設けても良い。このリセットは選挙で使用する全ての投票カード７１に対して行う。
【００７２】
選挙が開始され、投票者が投票所の受付に来ると担当者は正しい投票者かを確認し、確認できれば投票カード７１を受付装置５１に挿入する。投票カード７１が挿入されるとカード読み書き部５３は受付フラグ書込部５２を起動する（Ｓ４０１）。受付フラグ書込部５２は挿入されたカードが投票カード７１であることを確認し、カード読み書き部５３に指示して投票カード７１の受付フラグ部７２に“１”を書き込み（Ｓ４０２）、書き込みが終わるとカード読み書き部５３に指示して投票カード７１を排出する（Ｓ４０３）。
【００７３】
この手順により投票の受け付けが実行され、受付の担当者は排出された投票カード７１を投票者に渡す。この時点では正規の状態において投票カード７１は受付フラグが“１”で投票フラグが“０”となっている。投票者は投票カード７１を持って投票装置６１に移動して投票行為を行う。
【００７４】
次に、投票装置６１における動作を図７のフローチャートを用いて説明する。投票者は投票カード７１を投票装置６１に挿入する。投票カード７１が挿入されるとカード読み書き部６５は受付フラグ確認部６３を起動する（Ｓ５０１）。受付フラグ確認部６３はカード読み書き部６５に指示して受付フラグ部７２と投票フラグ部７３からそれぞれ受付フラグと投票フラグを読み込み（Ｓ５０２）、受付フラグが“１”であるかを確認する（Ｓ６０３）。
【００７５】
受付フラグが“１”でない場合、受付フラグ確認部６３は受付が正常に行われていないものとしてエラー処理を実行し（Ｓ５０８）、カード読み書き部６５に指示して投票カード７１を排出する（Ｓ５０７）。エラー処理の内容については特に限定しないが、例えば、投票装置６１配下の表示装置に“受付が済んでません”というようなメッセージを表示させたり、アラームを音や光で行ったりする。これにより間違った手続きによる投票行為を防止できる。
【００７６】
受付フラグが“１”の場合、受付フラグ確認部６３は受付が正常に行われたものとして、投票フラグが“０”であるか確認する（Ｓ５０４）。投票フラグが“０”でない場合、受付フラグ確認部６３はすでに投票行為済みであるか正常でない状態で投票カード７１を使用したものとしてエラー処理を実行し（Ｓ５０８）、カード読み書き部６５に指示して投票カード７１を排出する（Ｓ５０７）。エラー処理としては例えば“すでに投票済みです”というメッセージを表示したり音や光によりアラームを発生したりする。従って投票者が１枚の投票カード７１で２度投票したり、間違った手順での投票行為をしたりすることを防止できる。
【００７７】
ステップＳ５０４で投票フラグが“０”の場合、受付フラグ確認部６３は正常と判断して投票フラグ書込部６４を起動する。投票フラグ書込部６４はカード読み書き部６５に指示して投票フラグ部７３に“１”を書き込み、投票処理部６２を起動し（Ｓ５０５）、投票者の投票操作が終わるのを待つ（Ｓ５０６）。投票が終わると投票フラグ書込部６４はカード読み書き部６５に指示して投票カード７１を排出する（Ｓ５０７）。
【００７８】
投票処理部６２は、本発明の第１の電子投票システムと同様に候補者名の一覧を表示し投票者に投票を促し、投票者が投票する候補を選択して投票操作を終了すると、予め決められた投票結果の処理を実行するとともに、投票フラグ書込部６４に投票の終了を通知する。投票結果の処理については特に限定しないが、例えば本発明の第１の電子投票システムと同様に投票結果を蓄積したり外部の通報先へ結果を通報したりする。
【００７９】
投票者は投票行為を終えると排出された投票カード７１を持って投票所を退出し、退出の際に投票カード７１を選挙の担当者に戻す。担当者は投票カード７１を受け取ると出口装置８１にて集計や投票カード７１の初期化を行う。
【００８０】
次に、出口装置８１における動作を図８のフローチャートを用いて説明する。選挙担当者は投票者から受け取った投票カード７１を出口装置８１に挿入する。投票カード７１が挿入されるとカード読み書き部９２は受付フラグ読込８２を起動する（Ｓ６０１）。受付フラグ読込部８２はカード読み書き部９２に指示して投票カード７１の受付フラグ部７２から受付フラグを読み込み（Ｓ６０２）、受付フラグが“１”であるか確認する（Ｓ６０３）。
【００８１】
受付フラグが“１”でない場合、受付フラグ読込部８２はエラー処理を行い（Ｓ６１２）、その後カード読み書き部９２に指示して投票カード７１を排出する（Ｓ６１３）。エラー処理としては例えば“受付が正しくされていません”というメッセージを表示したり音や光によりアラームを発生する。従って、間違って受付回数を集計することを防止できる。
【００８２】
受付フラグが“１”の場合受付フラグ読込部８２は受付回数集計部８３を起動する（Ｓ６０３）。受付回数集計部８３は受付回数記憶部８５から受付回数を読み出して“１”を加算し、加算結果を受付回数記憶部８５に書き戻し、受付フラグ初期化部８４を起動する（Ｓ６０４）。受付フラグ初期化部８４はカード読み書き部９２に指示して受付フラグ部７２に“０”を書き込んで投票カード７１の受付フラグを初期化し、投票フラグ読込部８６を起動する（Ｓ６０５）。
【００８３】
投票フラグ読込部８６は、カード読み書き部９２に指示して投票フラグ部７３から投票フラグを読み込み（Ｓ６０６）、投票フラグが“１”であるか確認する（Ｓ６０７）。投票フラグが“１”の場合、投票フラグ読込部８６は投票回数集計部８７を起動する。投票回数集計部８７は投票回数記憶部８９から投票回数を読み出して“１”を加算し、加算結果を投票回数記憶部８９に書き戻し、投票フラグ初期化部８８を起動する（Ｓ６０４）。
【００８４】
投票フラグが“０”の場合、投票フラグ読込部８６は投票回数集計部８４を起動せず投票フラグ初期化部８８を起動する（Ｓ６０７）。ステップＳ６０７又はステップＳ６０８から起動された受付フラグ初期化部８４は、カード読み書き部９２に指示して投票フラグ部７３に“０”を書き込んで投票カード７１の投票フラグを初期化し（Ｓ６０９）、その後カード読み書き部９２に指示して投票カード７１を排出し、投票率計算部９０を起動する（Ｓ６１０）。排出された投票カード７１は受付の担当者に渡されて繰り返して使用される。
【００８５】
投票率計算部９０は、予め設定された有権者数を受付回数で除算して投票率を計算し、さらに受付回数から投票回数を減算して未投票数を計算する。集計結果表示部９１は受付回数、投票回数、さらに投票率計算部９０で計算された投票率と未投票数を図示しないが出口装置８１配下の表示装置に表示する（Ｓ６１１）。
【００８６】
このように、本発明の第２の電子投票システムでも、有権者数の投票カードを準備することなく、少ない枚数の投票カード７１を準備するだけで電子投票が可能となる。また、第２の電子投票システムでは、逐次全投票カード７１の投票結果を出口装置８１で集計するため、選挙担当者は投票時間内でも投票者全体の投票率や未投票回数等の情報を逐次知ることができるという特徴を有する。
【図面の簡単な説明】
【００８７】
【図１】本発明の第１の電子投票システムの構成を示したブロック図である。
【図２】受付装置１１の動作を示したフローチャートである。
【図３】投票装置２１の動作を示したフローチャートである。
【図４】集計装置４１の動作を示したフローチャートである。
【図５】本発明の第２の電子投票システムの構成を示したブロック図である。
【図６】受付装置５１の動作を示したフローチャートである。
【図７】投票装置６１の動作を示したフローチャートである。
【図８】出口装置８１の動作を示したフローチャートである。
【符号の説明】
【００８８】
１１    受付装置
１２    初期化部
１３    受付回数読込部
１４    受付回数加算部
１５    受付回数書込部
１６    カード読み書き部
２１    投票装置
２２    投票処理部
２３    投票回数読込部
２４    投票回数加算部
２５    投票回数書込部
２６    カード読み書き部
３１    投票カード
３２    受付回数記憶部
３３    投票回数記憶部
３４    投票フラグ部
３５    集計フラグ部
４１    集計装置
４２    受付回数読込部
４３    受付回数集計部
４４    受付回数記憶部
４５    投票回数読込部
４６    投票回数集計部
４７    投票回数記憶部
４８    集計結果表示部
４９    カード読み書き部
５１    受付装置
５２    受付フラグ書込部
５３    カード読み書き部
６１    投票装置
６２    投票処理部
６３    受付フラグ確認部
６４    投票フラグ書込部
６５    カード読み書き部
７１    投票カード
７２    受付フラグ部
７３    投票フラグ部
８１    出口装置
８２    受付フラグ読込部
８３    受付回数集計部
８４    受付フラグ初期化部
８５    受付回数記憶部
８６    投票フラグ読込部
８７    投票回数集計部
８８    投票フラグ初期化部
８９    投票回数記憶部
９０    投票率計算部
９１    集計結果表示部
９２    カード読み書き部
【図１】
2005182488.tif 000003
【図２】
2005182488.tif 000004
【図３】
2005182488.tif 000005
【図４】
2005182488.tif 000006
【図５】
2005182488.tif 000007
【図６】
2005182488.tif 000008
【図７】
2005182488.tif 000009
【図８】
2005182488.tif 000010